(57)【要約】【課題】人の使用状態に応じた適切な換気装置の残遅運転時間を設定することが可能とし、人体検知による換気装置の自動運転および人の退出後の最適な換気装置の残遅運転を実現する換気装置を提供する。【解決手段】換気装置１は、空気を排気する排気用ファン２と、所定領域内の人体を検知し検知信号を出力する人感センサー３と、人感センサー３からの検知信号に基づいて所定領域内における人の居留時間を算出する計時手段４と、計時手段４により算出された居留時間に基づいて所定領域からの人の退出後における排気用ファン２の運転時間である残遅運転時間を設定する換気装置を提供する。【選択図】図２
2017089957.tif 000002
【特許請求の範囲】
【請求項１】
空気を排気する排気用ファンと、
所定領域内の人体を検知し検知信号を出力する人感センサーと、
前記人感センサーからの検知信号に基づいて前記所定領域内における人の居留時間を算出する計時手段と、
前記計時手段により算出された前記居留時間に基づいて前記所定領域からの人の退出後における前記排気用ファンの運転時間である残遅運転時間を設定する制御部と、を備えた換気装置。
【請求項２】
前記制御部は、
前記居留時間に基づいて前記残遅運転時間を算出する請求項１記載の換気装置。
【請求項３】
前記残遅運転時間は、
固定時間と変動時間とで構成され、
前記制御部は、
前記居留時間に基づいて変動時間を算出し、
前記算出された変動時間と前記固定時間との和を前記残遅運転時間とする請求項１または２に記載の換気装置。
【請求項４】
予め設定された所定の閾値と前記居留時間とを比較する比較手段を備え、
前記制御部は、
前記比較手段による比較結果に基づいて前記残遅運転時間を選択する請求項１記載の換気装置。
【請求項５】
前記制御部は、
前記人感センサーが人体を検知状態とした際に前記排気用ファンの運転を開始し、
前記人感センサーが人体を非検知状態とした際に設定された残遅運転時間に応じて前記排気用ファンの運転を継続し、
前記残遅運転時間の経過後に前記排気用ファンの運転を停止する請求項１から４のいずれかに記載の換気装置。
【請求項６】
前記計時手段は、
前記人感センサーが人体を検知状態とした際に検知時間カウンタの計測を開始し、
前記人感センサーが人体を非検知状態とした際に前記検知時間カウンタの計測を終了して前記居留時間を算出する請求項１から５のいずれかに記載の換気装置。
【発明の詳細な説明】
【技術分野】
【０００１】
本発明は、所定領域内の人体を検知し自動的に運転する換気装置に関する。
【背景技術】
【０００２】
従来、この種の人感センサーを備えた換気装置は、通常運転の際、人感センサーが人体を検知すると排気用ファンの運転を開始する。そして人感センサーが人体を検知しなくなり、すなわち人の退出後には、残留臭気を排出するのに設定された一定の残遅運転時間のみ排気用ファンの運転を継続した後に排気用ファンの運転を停止する（例えば、特許文献１参照）。
【先行技術文献】
【特許文献】
【０００３】
【特許文献１】特開平２−３３５４６号公報
【発明の概要】
【発明が解決しようとする課題】
【０００４】
このような従来の換気装置は、タイマーによりあらかじめ設定された一定時間しか残遅運転を行えないために、換気装置の運転が実際の使用状態に合わず、効率的でないという課題があった。
【０００５】
本発明は、前記の課題を解決し、実際の使用状態に応じた適切な時間分、残遅運転を行うことができる換気装置を提供することを目的とする。
【課題を解決するための手段】
【０００６】
そして、この目的を達成するために、本発明に係る換気装置は、所定領域内の人体を検知し検知信号を出力する人感センサーと、前記人感センサーからの検知信号に基づいて前記所定領域内における人の居留時間を算出する計時手段と、前記計時手段により算出された前記居留時間に基づいて前記所定領域からの人の退出後における前記排気用ファンの運転時間である残遅運転時間を設定する制御部とを備えた換気装置の構成としたものである。
【発明の効果】
【０００７】
本発明によれば、人の使用状態に応じた適切な換気装置の残遅運転時間を設定することを可能とし、人体検知による換気装置の自動運転および人の退出後の最適な残遅運転を実現できるという効果が得られるものである。
【図面の簡単な説明】
【０００８】
【図１】本発明の実施の形態に係る換気装置の構成図。
【図２】本発明の実施の形態に係る人居留時間の判断および残遅運転時間設定の制御フローチャート。
【図３】本発明の実施の形態に係る人感センサーの出力電圧と人体検出判定閾値を示す図。
【発明を実施するための形態】
【０００９】
本発明に係る換気装置は、空気を排気する排気用ファンと、所定領域内の人体を検知し検知信号を出力する人感センサーと、前記人感センサーからの検知信号に基づいて前記所定領域内における人の居留時間を算出する計時手段と、前記計時手段により算出された前記居留時間に基づいて前記所定領域からの人の退出後における前記排気用ファンの運転時間である残遅運転時間を設定する制御部とを備えた換気装置の構成としたものである。
【００１０】
これにより、人体検知による換気装置の自動運転および人の退出後の最適な残遅運転を実現することができる。
【００１１】
また、前記制御部は、前記居留時間に基づいて前記残遅運転時間を算出するようにしてもよい。
【００１２】
これにより、人の使用状態（居留状態）に応じて換気装置の残遅運転時間を変更することができる。
【００１３】
また、前記残遅運転時間は、固定時間と変動時間とで構成され、前記制御部は、前記居留時間に基づいて変動時間を算出し、前記算出された変動時間と前記固定時間との和を前記残遅運転時間としてもよい。
【００１４】
これにより、人の使用状態に応じた適切な換気装置の前記残遅運転時間を変更することができる。
【００１５】
また、予め設定された所定の閾値と前記居留時間とを比較する比較手段を備え、前記制御部は、前記比較手段による比較結果に基づいて前記残遅運転時間を選択するようにしてもよい。
【００１６】
なお、前記制御部は、前記人感センサーが人体を検知状態とした際に前記排気用ファンの運転を開始し、前記人感センサーが人体を非検知状態とした際に設定された残遅運転時間に応じて前記排気用ファンの運転を継続し、前記残遅運転時間の経過後に前記排気用ファンの運転を停止する。
【００１７】
さらに、前記計時手段は、前記人感センサーが人体を検知状態とした際に検知時間カウンタの計測を開始し、前記人感センサーが人体を非検知状態とした際に前記検知時間カウンタの計測を終了して前記居留時間を算出するようにしてもよい。
【００１８】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、各図面において、本発明に直接には関係しない各部の詳細については説明を省略している。
【００１９】
（実施の形態）
本発明の実施の形態に係る換気装置１は、所定領域内の壁面に取付けられ、所定領域内の空気を所定領域外へ排出する際に利用される。ここでいう所定領域内とは、例えば室内であり、具体的にはトイレや浴室、ダイニング、リビングなどの空間を指す。
【００２０】
まず、換気装置１の構成について図１を用いて説明する。
【００２１】
換気装置１は、人感センサー３と、計時手段４と、比較手段５と、制御部６と、排気用ファン２とを備える。
【００２２】
人感センサー３は、室内に居留している人を検知できる方向に向けて設けられており、例えば赤外線センサーが利用される。
【００２３】
計時手段４は、室内における人の居留時間を算出する。つまり計時手段４は、室内に人が入ることにより人感センサー３が出力する、人体を検知状態である旨の信号を受けて、検知時間カウンタの計時を開始する。そして計時手段４は、室内から人が出ることにより人感センサー３からの、人体を非検知状態である旨の信号を受けて検知時間カウンタの計時を終了する。つまり検知時間カウンタが居留時間を示す。
【００２４】
比較手段５は、予め設定された所定の閾値と計時手段４が算出した居留時間とを比較し、所定の閾値より以上かまたは未満かを判定する。
【００２５】
制御部６は、比較手段５による判定結果から、排気用ファン２の運転時間である残遅運転時間を設定する。
【００２６】
排気用ファン２は、人感センサー３が非検知状態となった後に、制御部６が設定した残遅運転時間に応じて運転を継続し、残遅運転時間の経過後に運転を停止する。
【００２７】
上記構成において、図２のフローチャートを用いて本発明に係る換気装置１の残遅運転時間設定方法を説明する。
【００２８】
所定領域内に人は入室しておらず、排気用ファン２には通電されていないすなわち待機状態である（ＳＴＥＰ１）。
【００２９】
待機状態である間は、人感センサー３が所定領域内への人の入室を常時検知し、非検知状態である旨の信号を制御部６に送信する（ＳＴＥＰ２のＮＯ）。
【００３０】
人感センサー３が、所定領域内への人の入室を検知し、すなわち検知状態となると、制御部６は排気用ファン２の運転を開始する（ＳＴＥＰ２のＹＥＳ→ＳＴＥＰ３）。ここで、例えば、人感センサー３として赤外線センサーが人から発生する赤外線の変化を検出したときに出力電圧が変化することを利用する。例えば図３に示すように、赤外線の変化がない場合（例えば２Ｖ）に対して、赤外線センサーの出力電圧が人検出判定閾値である（例えば±０．４５Ｖ）以上変化した場合、検知状態である旨の信号を制御部に送信する。
【００３１】
また人感センサー３からの検知状態である旨の信号を受けると、制御部６は、検知時間カウンタのカウントを開始する（ＳＴＥＰ４）。
【００３２】
所定領域内から人が退出するまで、人感センサー３は人の動きを検知し、検知信号を発生する（ＳＴＥＰ５のＹＥＳ）。
【００３３】
所定領域内から人が退出すると、人感センサー３は非検知状態である旨の信号を出力することで、制御部６は退出を判断する（ＳＴＥＰ５のＮＯ）。この時点で人の退室は確認されたことになり、制御部６は検知時間カウンタのカウントを停止し、計時手段４により人の居留時間を算出する（ＳＴＥＰ６）。
【００３４】
つぎに比較手段５は、算出された居留時間と予め設定された変動時間Ｔｙとを比較し、その比較結果に基づいて以下のように選択する（ＳＴＥＰ７）。
【００３５】
比較手段５による比較結果が変動時間Ｔｙ以上の場合には、残遅運転時間としてＴ＋Ｔ２を設定する（ＳＴＥＰ７ＹＥＳ→ＳＴＥＰ９）。ここでＴは、固定時間である。そしてＴ２は変動時間である。つまり残遅運転時間は固定時間と変動時間とで構成され、人が退室後に最低限運転する時間を固定時間とする。他方、変動時間は居留時間に基づいて動的に変更される時間である。
【００３６】
比較手段５による比較結果が変動時間Ｔｙ未満の場合には、さらに居留時間と予め設定された変動時間Ｔｘとを比較する（ＳＴＥＰ７ＮＯ→ＳＴＥＰ８）。
【００３７】
比較手段５による比較結果が変動時間Ｔｘ以上の場合には、残遅運転時間としてＴ＋Ｔ１を設定する（ＳＴＥＰ８ＹＥＳ→ＳＴＥＰ１０）。ここでＴ１も変動時間であり、Ｔ２＞Ｔ１である。
【００３８】
比較手段５による比較結果が変動時間Ｔｘ未満の場合には、残遅運転時間としてＴを設定する（ＳＴＥＰ８ＮＯ→ＳＴＥＰ１１）。
【００３９】
ここで例えば、変動時間Ｔｘ＝３０秒であり、変動時間Ｔｙ＝９０秒である。
【００４０】
以上の結果、残遅運転時間には、予め設定された固定時間Ｔ（例えば３分）に対して選択され決定される変動時間（Ｔ１又はＴ２）を加えた値が設定され、残遅運転時間のカウントダウンを開始する。そして制御部６は、残遅運転時間がゼロとなった時点に、換気装置の停止を判断し運転を止めることとなる。なお、カウントダウン中も人感センサーによる信号の発生を監視し続け、つぎの人の入室に備える。もしカウントダウン中に人感センサーが検知状態となった場合には、残遅運転時間をリセットして上述のＳＴＥＰ２からの処理を開始する。
【００４１】
以上の動作を繰り返し行うことにより、人の使用状態に応じた適切な換気装置１の残遅運転時間を設定することを可能とし、人体検知による換気装置１の自動運転およびトイレ等の使用状態に応じた適切な換気装置１の残遅運転が行えることとなる。
【００４２】
なお、本実施の形態では変動時間をＴｘ＝３０秒、Ｔｙ＝９０秒としているが、所定領域のスペースなどに応じて、それぞれ別の時間を用いてもよい。
【００４３】
本発明に係る換気装置によれば、人体検知による換気装置の自動運転および人の退出後の最適な残遅運転を実現することができる。例えば室内をトイレと仮定した場合、小便の場合には残遅運転時間を短く、大便の場合には残遅運転時間を長く、すなわち適切な設定とすることが可能となる。また、匂いセンサーなどを使うことで芳香剤の香りを誤検知回避することを回避することができる。
【００４４】
なお、上記実施の形態では、制御部６は、比較手段５による比較結果に基づいて残遅運転時間を選択する例を述べた。つまり残遅運転はＴ、Ｔ＋Ｔ１、Ｔ＋Ｔ２の３種としている。しかしながら選択することに限らず、例えば制御部６は居留時間に基づいて、残遅運転時間を算出しても良い。つまり、居留時間の２倍を算出して残遅時間に設定するようにしてもよい。これにより、きめの細かい残遅運転時間の設定が可能となる。
【００４５】
また、カウントダウン中に人感センサーが検知状態となった場合には、残遅運転時間をリセットせず、カウントダウン中の残りの時間を固定時間Ｔに設定して上述のＳＴＥＰ２からの処理を開始してもよい。居留時間＝臭気と仮定した場合には、残遅運転時間を適切に延長することができる。
【産業上の利用可能性】
【００４６】
本発明に係る換気装置は、人の使用状態に応じた適切な換気装置の残遅運転時間を設定することを可能とし、人体検知による換気装置の自動運転および人の退出後の最適な換気装置の残遅運転を実現することを可能とするものである。このため、トイレに限らず、浴室、ダイニング、リビングなどの空間に設置しても有用である。
【符号の説明】
【００４７】
１    換気装置
２    排気用ファン
３    人感センサー
４    計時手段
５    比較手段
６    制御部
【図１】
2017089957.tif 000003
【図２】
2017089957.tif 000004
【図３】
2017089957.tif 000005